(57)【特許請求の範囲】
【請求項１】
柔軟なゴム又は合成樹脂からなるクッション層と、
当該クッション層の底面、左右両側部及び踵部分を覆う合成樹脂製のアウトソール層であって、靴底の左右両側部及び踵部分に対応する周縁部を上方へ立ち上げた壁部を有し、ゴルフシューズ底部の剛性を高めたアウトソール層と、
当該アウトソール層の踵部分に対応して前記壁部に切り欠き形成された窓部と、
を有することを特徴とするゴルフシューズ。
【請求項２】
アウトソール層の踵部分に対応する壁部に形成された窓部の形状が、水平方向に長く、上下方向に短い長方形であることを特徴とする請求項１に記載のゴルフシューズ。
【請求項３】
柔軟な発泡ゴム又は発泡合成樹脂からなるクッション層と、
当該クッション層の底面、左右両側部及び踵部分を覆う合成樹脂製のアウトソール層であって、靴底の左右両側部及び踵部分に対応する周縁部を上方へ立ち上げた壁部を有し、ゴルフシューズ底部の剛性を高めたアウトソール層と、
前記クッション層と前記アウトソール層との間に配置され、土踏まずと対応する部分の強度を高める補強板であって、踵側からほぼ親指方向及びほぼ小指方向に向かって略Ｖ字状に形成されたリブを有する補強板とを備えており、
前記アウトソール層の踵部分に対応する前記壁部に、切り欠き形成された窓部が設けられており、
前記アウトソール層の土踏まずに対応する部分である中央部の前記補強板が配置される位置に、前記補強板よりもやや小さい透孔が設けられていることを特徴とするゴルフシューズ。
【発明の詳細な説明】
【０００１】
【発明の属する技術範囲】
本発明は、軽量であって、歩行の際のクッション性と前後方向の柔軟性を確保しつつ、ゴルフプレーにおけるクラブスイングの際に必要なゴルフシューズの安定性と、左右方向（内側と外側の方向）の剛性をも確保したゴルフシューズに関する。
【０００２】
【従来の技術】
ゴルフシューズとしては、ゴルフプレーにおけるクラブスイングの際に必要なゴルフシューズの安定性及び剛性を確保するために、硬質の合成樹脂からなるソールを用いるのが一般的であったが、近年は、軽量で、しかも歩行の際のクッション性を重視した柔軟な素材を用いたアスレチックタイプのゴルフシューズが用いられるようになっている。
【０００３】
しかしながら、このような軽量で柔軟な素材を用いたゴルフシューズにおいては、足元が不安定であるとか、クラブスイングの際に必要とされる靴の左右方向のねじれに対抗する剛性が不足し、スイングのフィニッシュ時の踏ん張りがきかないとか、ソールの土踏まずに対応する部分の落ち込みにより、長距離の歩行で疲れやすいといった問題があった。従って、このようなゴルフシューズは、上級者を満足させることができないものであった。
【０００４】
そこで、実願平７−６６４号（実用新案登録第３０１８２２３号）にて開示されているように、金属のプレートをソール部分に埋設したり、特願平１０−２２６７０号（特開平１１−２０３号）にて開示されているように、合成樹脂を波形に形成して左右方向のねじれに対抗する剛性を高めつつ前後方向の柔軟性を確保したゴルフシューズが提案されている。
【０００５】
【発明の解決しようとする課題】
上記のように金属のプレートをソール部分に使用した従来構造のゴルフシューズにおいては、シューズ全体が重くなってしまったり、歩行の際に必要な靴の前後方向の柔軟性が阻害されてしまうという問題がある。
【０００６】
又、波形のプレートを用いた従来構造のゴルフシューズにおいては、部品点数が増加して製造の際の工程が増えてしまうという問題や、クッション性を確保するためにシューズの厚みが増してしまうという問題がある。
【０００７】
そこで、本発明の目的は、合成樹脂を主体とした軽量構造のソールを有し、歩行の際の靴のクッション性と前後方向の柔軟性を確保しつつ、ゴルフプレーにおけるクラブスイングの際に必要な安定性及びゴルフシューズの左右方向（シューズの内側と外側の方向）のねじれに対抗する剛性をも確保したゴルフシューズであって、上級者をも満足させることができるゴルフシューズを提供することを目的とする。
【０００８】
本発明の他の目的は、ソールの厚みを増大させることなく、軽量でありながらゴルフシューズのソール中央部及び踵部分の必要な剛性を容易に高め、踵部分のクッション性を損なうことなく、剛性を備えたアウトソール層とクッション層とを強固に一体化することができるゴルフシューズを提供することにある。
【０００９】
又、本発明の他の目的は、ソールの土踏まずに対応する部分の落ち込みを防止し、長距離の歩行で疲れやすいといった問題を解消するとともに、ゴルフシューズのソール中央部及び踵部分の必要な剛性を容易に調節して製造することができるゴルフシューズを提供することにある。
【００１０】
本発明の他の目的は、ゴルフシューズの底部にクッション性を付与するためのクッション層を、剛性を備えたアウトソール層によって覆うようにカバーし、それらのクッション層とアウトソール層とを強固に一体化し、スイング時の安定性を高めることができるゴルフシューズを提供することにある。
【００１１】
本発明の他の目的は、ゴルフシューズの製造に際し、異なる性質を有するソールを貼り合わせる際の組付けが容易なゴルフシューズを提供することにある。
【００１２】
【課題を解決するための手段】
請求項１に係る発明は、「柔軟なゴム又は合成樹脂からなるクッション層と、当該クッション層の底面、左右両側部及び踵部分を覆う合成樹脂製のアウトソール層であって、靴底の左右両側部及び踵部分に対応する周縁部を上方へ立ち上げた壁部を有し、ゴルフシューズ底部の剛性を高めたアウトソール層と、当該アウトソール層の踵部分に対応して前記壁部に切り欠き形成された窓部と、を有することを特徴とするゴルフシューズ。」である。
【００１３】
この請求項１に係る発明のゴルフシューズは、柔軟なクッション層により靴底部分のクッション性が確保され、アウトソール層によりゴルフシューズ底部の必要な剛性が確保される。特に、靴底の左右両側部及び踵部分に対応する位置においては、アウトソール層の周縁部を上方へ立ち上げた壁部によって、ゴルフプレーにおけるクラブスイングの際に必要なゴルフシューズの左右方向（靴の内側と外側の方向）のねじれに対抗する剛性が確保されるとともに、クッション層とアウトソール層とが強固に一体化する。一方、アウトソール層の踵部分に対応する前記壁部には、スリット部（窓）が切り欠き形成されており、踵部分のクッション性は損なわれることがない。
【００１４】
請求項２に係る発明は、「アウトソール層の踵部分に対応する壁部に形成された窓部が、水平方向に長く、上下方向に短く形成されていることを特徴とする請求項１に記載のゴルフシューズ。」である。
【００１５】
この請求項２に係る発明のゴルフシューズは、前記請求項１に係る発明のゴルフシューズと同様に、クッション層によるクッション性と、アウトソール層による剛性が確保される。そして、靴底の左右両側部及び踵部分に対応する位置においては、アウトソール層の壁部によってゴルフシューズの左右方向のねじれに対抗する剛性が確保されるとともに、クッション層とアウトソール層とが強固に一体化する。一方、アウトソール層の前記壁部には、水平方向に長く、上下方向に短い窓部が切り欠き形成されており、踵部分のクッション性は損なわれることがない。
【００１６】
請求項３に係る発明は、「柔軟な発泡ゴム又は発泡合成樹脂からなるクッション層と、当該クッション層の底面、左右両側部及び踵部分を覆う合成樹脂製のアウトソール層であって、靴底の左右両側部及び踵部分に対応する周縁部を上方へ立ち上げた壁部を有し、ゴルフシューズ底部の剛性を高めたアウトソール層と、前記クッション層と前記アウトソール層との間に配置され、土踏まずと対応する部分の強度を高める補強板であって、踵側からほぼ親指方向及びほぼ小指方向に向かって略Ｖ字状に形成されたリブを有する補強板とを備えており、前記アウトソール層の踵部分に対応する前記壁部に、切り欠き形成された窓部が設けられており、前記アウトソール層の土踏まずに対応する部分である中央部の前記補強板が配置される位置に、前記補強板よりもやや小さい透孔が設けられていることを特徴とするゴルフシューズ。」である。
【００１７】
この請求項３に係る発明のゴルフシューズは、前記請求項１及び２に記載の発明のゴルフシューズと同様に、クッション層によるクッション性と、アウトソール層による剛性が確保される。そして、靴底の左右両側部及び踵部分に対応する位置においては、アウトソール層の壁部によってゴルフシューズの左右方向のねじれに対抗する剛性が確保されるとともに、クッション層とアウトソール層とが強固に一体化する。
【００１８】
さらに、前記クッション層とアウトソール層との間に配置された補強板によって、ゴルフシューズの土踏まずと対応する部分の強度が効率良く高められる。
【００１９】
一方、前記アウトソール層の前記壁部には、窓部が切り欠き形成されており、踵部分のクッション性は損なわれることがない。さらに、前記アウトソール層の透孔と対応して配置された補強板により、シューズの重量を不適当に増大させることなく、ゴルフシューズの土踏まずと対応する部分の強度が効率良く高められる。
【００２０】
【発明の実施の形態】
以下、本発明を具体化したゴルフシューズの好適な実施例につき説明する。
本実施例のゴルフシューズ１は、図１に示すように軽量な布、皮革、合成皮革又はそれらの組み合わせからなるシューズ本体２と、その下部に一体的に設けられたソール部分とから構成されている。そして、当該ゴルフシューズ１のソール部分は、柔軟な発泡ゴム（例えば、エチレンビニールアセテートのような合成ゴム）又は発泡合成樹脂からなるミッドソールを構成するクッション層１０と、当該クッション層１０の底面、左右両側部及び踵部分を覆う合成樹脂製のアウトソール２０層と、前記クッション層１０と前記アウトソール層２０との間に配置され、土踏まずと対応する部分の強度を高めるために配置された軽金属製の補強板３０とを備えている。
【００２１】
前記アウトソール層２０は、靴底の左右両側部及び踵部分に対応する周縁部を十数ミリメートル〜数ミリメートル上方へ立ち上げた壁部２１を有し、靴底の左右両側部及び踵部分においてカップ状の構造を構成しており、ゴルフシューズの左右方向のねじれに対抗するゴルフシューズ底部の剛性を高めるとともに、壁部２１の内側のクッション層１０を囲うようにカバーしてクッション層１０を強固に一体的に保持するようになっている。
【００２２】
本実施例のアウトソール層２０は、靴底部分に十分な強度を付与できるような強度を有する熱可塑性ポリウレタン製であり、その硬度は、ＪＩＳ  Ａタイプのゴム硬度計（ＪＩＳ  Ｋ  ６３０１に準拠した性能を有するもの）による測定値で、９０度から９５度程度のものが好ましい。
【００２３】
前記アウトソール層２０の踵部分には、前記壁部２１を切り欠いて形成したスリット部（窓部）２２が設けられている。かかるスリット部２２の存在により、壁部２１の強度が適度に抑えられ、踵部分におけるゴルフシューズ１のクッション性が高められることになる。
【００２４】
さらに、前記アウトソール層２０の壁部２１の内側に配置される踵部分のクッション層１０の外寸は、当該壁部２１の内寸とほぼ同一に形成されており、前記スリット部２２と対応する位置において、貼り合わされるクッション層１０の底面とアウトソール層２０の上面の大きさが一致するようにされている。
【００２５】
しかしながら、踵部分のクッション層１０の立ち上がり方向は、クッション層１０が外方へやや膨出するように設計されており、壁部２１の内面との密着状態が得られるようになっている。
【００２６】
また、前記アウトソール層２０の中央部（土踏まずと対応する部分）には、前記補強板３０が配置される位置に当該補強板３０よりやや小さい透孔２３が設けられている。従って、靴底の好ましくない重量増加を防ぐとともに、靴の意匠性を高めることができる。
【００２７】
前記補強板３０は、厚さ約０．５ミリメートルのジュラルミン製の板からなり踵側からほぼ親指方向及びほぼ小指方向に向かって略Ｖ字状に形成されたリブ３１を有しており、ゴルフシューズ１の中央部（土踏まずの部分）において必要とされる剛性を効率良く高め、土踏まずの部分の落ち込みとシューズのねじれを防止することができるようになっている。従って、ゴルフスイングのフィニッシュ時の踏ん張りがきき、足元の安定が得られるとともに、長距離の歩行による疲労を抑えることができる。
【００２８】
かかる補強板３０の厚さとしては、シューズ１の重量及び靴底の厚さを不適切に増大させない範囲でシューズ１の強度を高めることができる程度であれば、特に限定されないが、具体的には０．３から１．５ミリメートル程度（好ましくは約０．５ミリメートル前後）から選択できる。
【００２９】
又、補強板３０の形状としては、図５に示すような前方が拡がった略三角形状のものがソール部分の前後左右方向に適度な強度と弾力性を付与するために好ましく、その材質としては、好ましくはアルミニウム、チタン、マグネシウムなどの軽金属及びそれらの合金を適宜選択して使用することができる。
【００３０】
しかしながら、補強板３０の材質としては、シューズ１の重量を考慮しつつ、ステンレスなどといった軽金属以外の金属を用いたり、金属以外のセラミックス若しくはガラス繊維強化樹脂などといった、好ましくは軽量で強度の高い材料を用いてもよい。
【００３１】
又、本実施例においては、図５に示すように補強板３０の下側に合成樹脂片４１が配置され、補強板３０の両側方に合成樹脂片４２，４３が配置されており、ゴルフシューズ１の中央部における適度な強度の確保を図っている。これらの合成樹脂片４１，４２，４３の硬度は、ＪＩＳ  Ａタイプのゴム硬度計（ＪＩＳ  Ｋ  ６３０１に準拠した性能を有するもの）による測定値で、順にそれぞれ９５度、９８度、９８度となっており、このような硬度の異なる小片を適宜の位置に配置して組み合わせることにより、靴底部分の微妙な強度の調整及びクッション性能の調整が可能となる。
【００３２】
さらに、これらの合成樹脂片４２，４３の配置部分に対応する壁部２１には、スリット部２２と同様に壁部２１を切り欠き形成した窓部２４が形成され、ゴルフシューズ１のソール部分の強度の設定上及びデザイン設定上の効果を得られるようになっている。
【００３３】
特に、アウトソール層２０の形状、透孔２３の配置・形状、壁部２１及びスリット部２２の配置・形状・高さ・幅、及び、補強板３０の形状・強度及び配置、合成樹脂片４１，４２，４３の形状、強度、配置、色又は透明度などを変更することで、靴底部分の剛性（強度）、クッション性能及びデザインを細かく設定することができる。
【００３４】
次に、本発明のゴルフシューズの製造方法につき説明する。
本発明に係るゴルフシューズは、ミッドソールとしてのクッション層１０と、アウトソール層２０と、シューズ本体２を互いに貼り合わせることなどにより製造する。
【００３５】
その際、まず、合成樹脂片４２及び合成樹脂片４３を予め樹脂成型により製造する。又、補強板３０をプレス成形にて製造する。そして、補強板３０と合成樹脂片４３とを型の内部に配置してから透明な合成樹脂を流し込む（射出する）ことで、合成樹脂片４１を製造し、合成樹脂片４１と補強板３０と合成樹脂片４３とを一体化したものを製造する。
【００３６】
次に、上記合成樹脂片４１と補強板３０と合成樹脂片４３とを一体化したものと、合成樹脂片４２とを型の内部に配置してから合成樹脂を射出することで、アウトソール層２０を製造し、アウトソール層２０と合成樹脂片４１，４２，４３と補強板３０とを一体化したものを製造する。
【００３７】
次に、上記のように各部品を一体化したアウトソール層２０と、クッション層１０のつま先部分の位置を合わせ、つま先側から踵側へと順次貼り付けるが、アウトソール層２０は、図３に示すようにその踵部分の壁部２１がクッション層１０の踵部分（特にその底部）と干渉することがなく、しかも貼り合わされるクッション層１０の底面とアウトソール層２０の上面の大きさが一致するため、シューズのソール部分をスムーズに製造できる。さらに、上記クッション層１０の上面にシューズ本体２を張り合わせることで、ゴルフシューズ１を製造できる。
【００３８】
尚、本発明は、上記実施例に限定されるものではなく、本発明の趣旨を逸脱しない範囲で、クッション層１０を発泡性でない他のゴム又は合成樹脂から構成したり、クッション層１０、アウトソール層２０、壁部２１、スリット部２２、透孔２３、補強板３０、合成樹脂片４１，４２，４３の形状、寸法、材質、硬度、数量、重量などを適宜変更して実施してもよい。
【００３９】
【発明の効果】
上記構成により、本発明は、合成樹脂を主体とした軽量構造のソールを有し、歩行の際の靴のクッション性と前後方向の柔軟性を確保しつつ、ゴルフプレーにおけるクラブスイングの際に必要なゴルフシューズの安定性と、左右方向（シューズの内側と外側の方向）のねじれに対抗する剛性をも確保したゴルフシューズであって、上級者をも満足させることができるゴルフシューズを提供することができる。
【００４０】
本発明は、ソールの厚みを増大させることなく、軽量であり、ゴルフシューズのソール中央部の必要な剛性を容易に高め、かつ、踵部分のクッション性を損なうことなく、剛性を備えたアウトソール層とクッション層とを強固に一体化することができるゴルフシューズを提供することができる。
【００４１】
又、本発明は、ソールの土踏まずに対応する部分の落ち込みを防止し、長距離の歩行で疲れやすいといった問題を解消するとともに、ゴルフシューズのソール中央部及び踵部分の必要な剛性を容易に調節して製造することができるゴルフシューズを提供することができる。
【００４２】
本発明は、ゴルフシューズの底部にクッション性を付与するためのクッション層を、剛性を備えたアウトソール層によってカバーし、それらのクッション層とアウトソール層とを強固に一体化することができるゴルフシューズを提供することができる。
【００４３】
さらに、本発明は、ゴルフシューズの製造に際し、異なる性質を有するソールを貼り合わせる際の組付けが容易なゴルフシューズを提供することができる。
【００４４】
特に、請求項１に係る発明のゴルフシューズは、アウトソール層の踵部分に対応する前記壁部に窓部が切り欠き形成されており、踵部分のクッション性が損なわれることがないという優れた効果を奏する。
【００４５】
さらに、請求項２に係る発明のゴルフシューズは、アウトソール層の踵部分に対応する前記壁部に水平方向に長く垂直方向に短い窓部が切り欠き形成されており、踵部分のクッション性が損なわれることがないという優れた効果を奏する。
【００４６】
請求項３に係る発明のゴルフシューズによれば、アウトソール層の透孔と対応して配置された強度の高い補強板により、シューズの重量を不適当に増大させることなく、ゴルフシューズの土踏まずと対応する部分の強度を効率良く高め、しかも靴の意匠性を高めることができる。
【図面の簡単な説明】
【図１】本発明に係るゴルフシューズの右側面図である。
【図２】本発明に係るゴルフシューズの底部の背面図である。
【図３】本発明に係るゴルフシューズの左側面図である。
【図４】本発明に係るゴルフシューズの底面図である。
【図５】本発明に係るゴルフシューズの底部の分解斜視図である。
１  ゴルフシューズ
２  シューズ本体
１０  クッション層（ミッドソール）
２０  アウトソール層
２１  壁部
２２  スリット部（窓）
２３  透孔
２４  窓部
３０  補強板
３１  リブ
４１  合成樹脂片
４２  合成樹脂片
４３  合成樹脂片
【図１】
0004038708.tif 000002
【図２】
0004038708.tif 000003
【図３】
0004038708.tif 000004
【図４】
0004038708.tif 000005
【図５】
0004038708.tif 000006